(57)【要約】【課題】ユーザの使い勝手を損なうことなく、画面における焼き付きを低減できる表示装置を提供する。【解決手段】所定機器の作動状態の画像を表示する表示器１１０と、画像の表示状態を制御すると共に、所定機器の作動状態に応じてあるいは使用者の指示に基づいて、画像の表示内容の切替えを行う制御部１２０と、を備える表示装置において、画像には、予め定められた同一位置に同一内容で表示される固定項目画像が含まれており、制御部は、画像の表示内容の切替えを行った後に、次の切替えを行うまでの間に、固定項目画像を形成する複数の画素のうち、一部の画素の輝度を低下させる間引き表示モードを実行する。【選択図】図１
2017146361.tif 000002
【特許請求の範囲】
【請求項１】
所定機器の作動状態の画像（１１１ａ）を表示する表示器（１１０）と、
前記画像の表示状態を制御すると共に、前記所定機器の作動状態に応じてあるいは使用者の指示に基づいて、前記画像の表示内容の切替えを行う制御部（１２０）と、を備える表示装置において、
前記画像には、予め定められた同一位置に同一内容で表示される固定項目画像（１１１ｂ）が含まれており、
前記制御部は、前記画像の表示内容の切替えを行った後に、次の切替えを行うまでの間に、前記固定項目画像を形成する複数の画素のうち、一部の画素の輝度を低下させる間引き表示モードを実行する表示装置。
【請求項２】
前記制御部は、前記画像の表示内容の切替えを行った後に、予め定めた時間（ｔ０）が経過すると、前記間引き表示モードを実行する請求項１に記載の表示装置。
【請求項３】
前記間引き表示モードは、
複数の画素のうち、第１配置パターンに基づく一部の画素の輝度を低下させる第１間引き表示モードと、
複数の画素のうち、前記第１配置パターンとは異なる第２配置パターンに基づく一部の画素の輝度を低下させる第２間引き表示モードと、を含んでおり、
前記制御部は、前記第１間引き表示モードを予め定めた第１所定時間（ｔ１）実行した後に、前記第２間引き表示モードを予め定めた第２所定時間（ｔ２）実行する請求項１または請求項２に記載の表示装置。
【請求項４】
前記制御部は、次の切替えを行うまでの間に、前記第１間引き表示モードと、前記第２間引き表示モードとを交互に繰り返し実行する請求項３に記載の表示装置。
【請求項５】
前記制御部は、前記間引き表示モードを実行するにあたって、ディザ法に基づいて前記輝度を低下させる請求項１〜請求項４のいずれか１つに記載の表示装置。
【請求項６】
前記表示器は、バックライト（１１５）の発光によって前記画像が形成される液晶式のディスプレイ（１１０Ａ）であり、
前記制御部は、前記間引き表示モードを実行するにあたって、実行前よりも前記バックライトの輝度を高くする請求項１〜請求項５のいずれか１つに記載の表示装置。
【請求項７】
前記使用者の前記表示器に対する視線の方向を検知する視線検知部（１２６）を備えており、
前記制御部は、前記視線検知部によって検知される前記視線の方向が、前記表示器に向いたときに、前記間引き表示モードの実行を停止する請求項１〜請求項６のいずれか１つに記載の表示装置。
【請求項８】
前記使用者の前記表示器に対する視線の方向を検知する視線検知部（１２６）を備えており、
前記制御部は、前記画像の表示内容の切替えを行った後に、前記視線検知部によって検知される前記視線の方向が、前記表示器に向いていないと、前記間引き表示モードを実行する請求項１に記載の表示装置。
【発明の詳細な説明】
【技術分野】
【０００１】
本発明は、例えば、車両に関連する各種車両情報を表示する車両用表示装置に用いて好適な表示装置に関するものである。
【背景技術】
【０００２】
従来の表示装置として、例えば、特許文献１に記載されたものが知られている。特許文献１の表示装置では、コンピュータ画面において、オペレータが操作を中断して所定時間が経過すると、現在動作中の画像の縮小されたもの、あるいは、現在動作中の画像の一部が画面に表示されるようになっている。そして、スクリーンセイバー終了の指示がないとき、縮小された画像あるいは画像の一部は、画面内の他の位置へ移動されるようになっている。
【０００３】
これにより、正規画像の表示内容の確認を容易にすると共に、同一位置での同一画像の表示をなくして、画面の焼き付き防止の効果を高めるようにしている。
【先行技術文献】
【特許文献】
【０００４】
【特許文献１】特開平８−２８６６４７号公報
【発明の概要】
【発明が解決しようとする課題】
【０００５】
しかしながら、特許文献１の表示装置においては、上記のように、縮小された画像あるいは画像の一部が画面内の他の位置へ移動されるようになっている。ここで、例えば、画像中におけるアイコンやスイッチ画像等の所定の情報項目が、予め決められた所定の位置に設定されるものにおいては、時間経過と共にその位置が都度、変更されてしまうと、記憶していた位置と実際の位置とが異なるものとなってしまい、ユーザにとっては使い勝手の悪いものとなってしまう。
【０００６】
本発明の目的は、上記問題に鑑み、ユーザの使い勝手を損なうことなく、画面における焼き付きを低減できる表示装置を提供することにある。
【課題を解決するための手段】
【０００７】
本発明は上記目的を達成するために、以下の技術的手段を採用する。
【０００８】
本発明では、所定機器の作動状態の画像（１１１ａ）を表示する表示器（１１０）と、
画像の表示状態を制御すると共に、所定機器の作動状態に応じてあるいは使用者の指示に基づいて、画像の表示内容の切替えを行う制御部（１２０）と、を備える表示装置において、
画像には、予め定められた同一位置に同一内容で表示される固定項目画像（１１１ｂ）が含まれており、
制御部は、画像の表示内容の切替えを行った後に、次の切替えを行うまでの間に、固定項目画像を形成する複数の画素のうち、一部の画素の輝度を低下させる間引き表示モードを実行することを特徴としている。
【０００９】
表示器（１１０）における固定項目画像（１１１ｂ）以外の領域は、所定機器の作動状態に応じて、経過時間と共に変化していくが、固定項目画像における画素は、同一の発光状態が継続されるので、この発光に伴い焼き付きを招くおそれがある。
【００１０】
本発明では、固定項目画像を形成する複数の画素のうち、一部の画素の輝度を低下させる間引き表示モードを実行するようにしているので、固定項目画像を形成する一部の画素の劣化を抑制することができ、焼き付きを低減することができる。このとき、固定項目画像の表示位置を変更するものではないので、使用者の使い勝手を損なうことがない。
【００１１】
尚、上記各手段の括弧内の符号は、後述する実施形態記載の具体的手段との対応関係を示すものである。
【図面の簡単な説明】
【００１２】
【図１】第１実施形態における表示装置の全体構成を示す説明図である。
【図２】第１実施形態における表示装置が有する各種機能を示す機能ブロック図である。
【図３】表示器に表示されるアイコンを示す正面図である。
【図４】アイコンを示す拡大図である。
【図５】第１実施形態における間引き表示モード実行時の制御内容を示すフローチャートである。
【図６】ディザ法による画素の２値化の要領を示す説明図である。
【図７】各種ディザマトリクスを示す説明図である。
【図８】第２実施形態における表示装置の全体構成を示す説明図である。
【図９】第２実施形態における間引き表示モード実行時の制御内容を示すフローチャートである。
【図１０】第３実施形態における表示装置の全体構成を示す説明図である。
【図１１】第３実施形態における表示装置が備える各種機能を示す機能ブロック図である。
【図１２】第３実施形態における間引き表示モード実行時の制御内容（前半）を示すフローチャートである。
【図１３】第３実施形態における間引き表示モード実行時の制御内容（後半）を示すフローチャートである。
【図１４】第４実施形態における間引き表示モード実行時の制御内容（前半）を示すフローチャートである。
【図１５】第４実施形態における間引き表示モード実行時の制御内容（後半）を示すフローチャートである。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１４】
（第１実施形態）
第１実施形態における表示装置１００について図１〜図７を用いて説明する。本実施形態の表示装置１００は、車両に搭載されて、各種情報を表示するものとなっている。表示装置１００は、図１に示すように、表示器１１０、および制御部１２０等を備えている。制御部１２０（ＣＰＵ１２１）は、車載ＬＡＮ１０と接続されており、車両に搭載される所定の機器の作動状態を、表示器１１０に画像として表示するになっている。
【００１５】
車両に搭載される所定の機器は、例えば、カーナビゲーション装置（以下、カーナビ装置）、空調装置、車両の外部を撮影するカメラ、車両に近接する障害物（人、物、他車両等）を検出するセンサ、および時計等がある。そして、各種情報を表示する表示器としては、カーナビ装置による地図上の自車位置および目的地案内情報等を表示するもの、空調の作動状態（設定温度、風量、吹出しモード等）を表示するもの、カメラによって撮影された車両後方、後側方等の画像を表示するもの、車両周りの障害物を検出してカメラによる撮影画像の上に注意、警告等を表示するもの、および時刻を表示するもの、等がある。ここでは、カーナビ装置用の表示器１１０を代表例として、以下、説明することにする。
【００１６】
表示器１１０は、例えば、有機化合物を用いた有機ＥＬ素子を有する自発光式の有機ＥＬディスプレイが使用されている。有機ＥＬ素子は、低電圧直流駆動による高輝度発光が可能な発光素子となっており、陽極と陰極との間に、有機正孔輸送層、有機発光層、および電子輸送層等が積層配置されて形成されている。表示器１１０は、例えば、車両のインストルメントパネルの左右方向の中央に配置されており、表示画像がユーザ（使用者）に視認されるようになっている。
【００１７】
表示器１１０は、図１、図３、図４に示すように、制御部１２０（グラフィックコントローラ１２４）に接続されており、基本的には、カーナビ装置による地図画像、走行中の地図上における自車位置画像、目的地案内時の案内情報画像等のナビ画像（所定機器の作動状態画像）１１１ａを表示面１１１に表示するようになっている。ナビ画像１１１ａは、車両の走行に応じて、時間経過と共に変化していく画像となっている。特に、目的地案内において、例えば、走行方向の変更が必要なポイント（交差点等）に近づくと、変更すべき走行方向を示す拡大画像が追加されるといったように、ナビ画像１１１ａの表示内容が自動的に切替えられるようになっている。
【００１８】
また、表示器１１０は、図３に示すように、ナビ画像１１１ａの一部の領域（例えば、下側領域）に、複数のアイコン１１１ｂを表示するようになっている。各アイコン１１１ｂは、ユーザがタッチ操作（使用者が指示）することで、例えば、地図の拡大、縮小、目的地案内設定、および操作途中でのキャンセル等の操作を可能とする操作用アイコンとなっている。各アイコン１１１ｂは、例えば、横長の長方形を成す所定色の地の内側に他の色による図形や文字等が設けられたものとなっている。例えば、キャンセル用のアイコン１１１ｂでは、図４に示すように、長方形の地の内側に「Ｃ」の文字が設けられたものとなっている。
【００１９】
各アイコン１１１ｂに対する操作が行われると（使用者の指示に応じて）、ナビ画像１１１ａは、各アイコン１１１ｂに応じた画像に切替え表示されるようになっている。各アイコン１１１ｂは、カーナビ装置が作動中の間は、常に同一位置に同一内容で表示される固定項目画像となっている。
【００２０】
尚、ここでは、表示器１１０は、バック走行時に車両後方の画像を表示するバックモニターを兼用しており、ユーザがシフトレバー操作によってＲ（リバース）レンジを選択すると（使用者の指示に応じて）、ナビ画像１１１ａが、カメラによって撮影される後方撮影画像に切替え表示されるようになっている。そして、バックモニター作動時においては、バック走行にかかわる車両の近くに障害物等があると、後方撮影画像の上に、注意、警告等のマーク、文字等の画像が表示されるようになっている。注意、警告等の画像は、表示される際には、常に同一位置に同一内容で表示されるようになっており、アイコン１１１ｂと同様の固定項目画像となっている。
【００２１】
制御部１２０は、表示器１１０における表示状態を制御すると共に、所定の機器の作動状態に応じて、あるいはユーザの操作（指示）に基づいて、表示内容の切替えを行う部位となっている。加えて、制御部１２０は、各アイコン１１１ｂに対して、後述する間引き表示モードを実行するようになっている。
【００２２】
制御部１２０は、図１に示すように、中央演算処理装置としてのＣＰＵ１２１、演算を行うＲＡＭ１２２、演算用プログラム等が記憶されたＲＯＭ１２３、映像信号を表示器１１０に出力して画像表示を行うグラフィックコントローラ１２４、およびビデオ表示部分のメモリとしてのＶＲＡＭ１２５等を有している。
【００２３】
尚、図２は、制御部１２０が有する各種機能を示している。各種機能は、表示データ生成機能１２Ａ、表示時間計測機能１２Ｂ、間引き領域抽出機能１２Ｃ、間引き制御機能１２Ｄ、重畳制御機能１２Ｅ、および表示制御機能１２Ｆである。
【００２４】
表示データ生成機能１２Ａは、表示画像の全体を形成するための機能であり、ＣＰＵ１２１、ＲＡＭ１２２、およびＲＯＭ１２３によって実現されるようになっている。表示時間計測機能１２Ｂは、間引き表示モードに関連する時間を計測するための機能であり、ＣＰＵ１２１によって実現されるようになっている。間引き領域抽出機能１２Ｃは、表示データ生成機能１２Ａに基づいて、間引き表示モード実行時の間引き領域を抽出する機能であり、ＣＰＵ１２１（あるいはグラフィックコントローラ１２４）によって実現されるようになっている。
【００２５】
また、間引き制御機能１２Ｄは、表示時間計測機能１２Ｂ、および間引き領域抽出機能１２Ｃに基づいて、後述するディザ法を用いて間引き表示モード実行の制御を行う機能である。重畳制御機能１２Ｅは、間引き制御機能１２Ｄに基づいて、作動状態画像（ナビ画像１１１ａ）と固定項目画像（アイコン１１１ｂ）との重ね合わせ状態を制御する機能である。表示制御機能１２Ｆは、表示器１１０に対する表示の制御を行うと共に、表示時間計測機能１２Ｂに対して時間計測の指示を行う機能である。間引き制御機能１２Ｄ、重畳制御機能１２Ｅ、および表示制御機能１２Ｆは、グラフィックコントローラ１２４、およびＶＲＡＭ１２５によって実現されるようになっている。
【００２６】
本実施形態の表示装置１００は、上記のような構成となっており、以下、図５〜図７を加えて、作動および作用効果について説明する。
【００２７】
カーナビ装置が作動されていると、制御部１２０は、表示器１１０の表示面１１１にナビ画像１１１ａ、およびアイコン１１１ｂを表示させる。ナビ画像１１１ａは、車両の走行に応じて、時間経過と共に変化していく。また、アイコン１１１ｂは、常に同一位置に同一内容で表示される。
【００２８】
また、ユーザのアイコン１１１ｂに対する操作があると、制御部１２０は、ナビ画像１１１ａの表示内容を、操作されたアイコン１１１ｂに応じた画像に切替える。また、制御部１２０は、走行方向の変更が必要なポイントに近づくと、変更すべき走行方向を示す拡大画像をナビ画像１１１ａに追加表示して、表示内容を切替える。
【００２９】
尚、制御部１２０は、ユーザのシフトレバー操作によって、バック走行となると、表示面１１１における表示内容を、後方撮影画像に切替える。このとき、バック走行にかかわる障害物等があると、後方撮影画像の上に、注意、警告等の画像を表示する。
【００３０】
ここで、表示器１１０におけるナビ画像１１１ａや後方撮影画像は、カーナビ装置やカメラの作動状態に応じて、経過時間と共に変化していくが、アイコン１１１ｂや注意、警告画像等の固定項目画像における画素は、同一の発光状態が継続されるので、この発光に伴い焼き付きを招くおそれがある。そこで、本実施形態では、制御部１２０は、図５〜図７に示す間引き表示モードを実行するようになっている。以下、間引き表示モードの詳細について説明する。
【００３１】
図５におけるフローチャートにおいて、まず、制御部１２０は、ステップＳ１００で、表示器１１０の表示内容（表示画像）の切替えを行うと、この切替え時点からの経過時間の計測を開始する。そして、ステップＳ１１０で、間引き表示モードを実行しない状態を維持する。つまり、切替えられた表示内容を継続する。
【００３２】
次に、制御部１２０は、ステップＳ１２０で、表示内容の切替え要求が有るか否かを判定する。表示切替えの要求は、アイコン１１１ｂに対するユーザの操作、カーナビ装置による目的地案内時の表示切替え、あるいはユーザによるシフトレバー操作等が対応する。そして、制御部１２０は、ステップＳ１２０で肯定判定するとステップＳ２３０に移行し、否定判定、つまり、表示内容の切替え要求が無いと判定すると、ステップＳ１３０に移行する。
【００３３】
ステップＳ１３０では、制御部１２０は、ステップＳ１００で計測開始した経過時間が、予め定めた所定時間ｔ０となったか否かを判定し、否と判定すると、ステップＳ１１０に戻り、肯定判定、つまり、所定時間ｔ０だけ経過したと判定すると、ステップＳ１４０に移行する。
【００３４】
ステップＳ１４０では、制御部１２０は、間引き表示モードのうち、第１間引き表示モードを開始すると共に、第１間引き表示モード開始からの時間の計測を開始する。
【００３５】
間引き表示モードは、アイコン１１１ｂ（あるいは注意、警告画像）を形成する複数の発光画素のうち、一部の画素の輝度を低下させて、アイコン１１１ｂ内において、輝度を間引いた発光状態を形成するものである。ここでは、間引き表示モードを形成するにあたって、例えば、ディザ法を用いるようにしている。
【００３６】
ディザ法とは、各発光画素の濃淡を２値（黒と白）で表示するものであり、例えば、組織的ディザ法、ランダムディザ法、あるいは平均誤差最小法等がある。ここでは、ディザ法として、組織的ディザ法を用いている。
【００３７】
組織的ディザ法は、図６に示すように、アイコン１１１ｂの画像を、Ｎ×Ｎ（例えば、４×４）の粗いメッシュに分割し、分割したブロックごとに、予め準備したディザマトリクスを用いて、２値化を行うものである。ディザマトリクスとしては、例えば、図７（ａ）〜（ｃ）に示すような、種々のディザマトリクス１〜３・・・を準備することができる。
【００３８】
ディザマトリクスには、４×４個の異なる閾値が予め設けられており、アイコン１１１ｂの各画素における輝度と、対応するディザマトリクスの各閾値とがそれぞれ比較されて、画素における輝度が閾値よりも小さいときに画素の輝度を０とし、画素における輝度が閾値よりも大きいときに画素の輝度を１（最大）とする。
【００３９】
ステップＳ１４０における第１間引き表示モードは、例えば、図７（ａ）に示すような第１配置パターンに基づくディザマトリクス１が使用されるものとなっている。このように、ディザ法を用いることで、アイコン１１１ｂを形成する発光画素のうち、第１配置パターンに基づく一部の画素の輝度が低下され、間引き発光状態が形成されるのとなるのである。
【００４０】
次に、ステップＳ１５０で、制御部１２０は、ステップＳ１２０と同様に、表示内容の切替え要求が有るか否かを判定し、肯定判定するとステップＳ２３０に移行し、否定判定、つまり、表示内容の切替え要求が無いと判定すると、ステップＳ１６０に移行する。
【００４１】
ステップＳ１６０では、制御部１２０は、ステップＳ１４０で開始した第１間引き表示モードを継続させ、更に、ステップＳ１７０で、ステップＳ１４０で計測を開始した経過時間が予め定めたｔ１（第１所定時間）になったか否かを判定する。ステップＳ１７０で、制御部１２０は、否と判定すると、ステップＳ１４０に戻り、第１間引き表示モードの実行と、経過時間の計測を継続する。一方、ステップＳ１７０で、肯定判定、つまり、経過時間がｔ１になったと判定すると、ステップＳ１８０に移行する。
【００４２】
そして、ステップＳ１８０では、制御部１２０は、間引き表示モードのうち、第２間引き表示モードを開始すると共に、第２間引き表示モード開始からの時間の計測を開始する。
【００４３】
第２間引き表示モードは、上記の第１配置パターンとは異なる第２配置パターンに基づく発光画素の濃淡の２値化を行うものである。第２間引き表示モードの実行においては、例えば、図７（ｂ）に示すようなディザマトリクス２（あるいは、図７（ｃ）に示すようなディザマトリクス３等）が使用されるようになっている。
【００４４】
次に、ステップＳ１９０で、制御部１２０は、ステップＳ１２０と同様に、表示内容の切替え要求が有るか否かを判定し、肯定判定するとステップＳ２３０に移行し、否定判定、つまり、表示内容の切替え要求が無いと判定すると、ステップＳ２００に移行する。
【００４５】
ステップＳ２００では、制御部１２０は、ステップＳ１７０で開始した第２間引き表示モードを継続させ、更に、ステップＳ２１０で、ステップＳ１８０で計測を開始した経過時間が予め定めたｔ２（第２所定時間）になったか否かを判定する。ステップＳ２１０で、制御部１２０は、否と判定すると、ステップＳ１８０に戻り、第２間引き表示モードの実行と、経過時間の計測を継続する。一方、ステップＳ２１０で、肯定判定、つまり、経過時間がｔ２になったと判定すると、ステップＳ２２０に移行する。
【００４６】
ステップＳ２２０では、制御部１２０は、ステップＳ１２０と同様に、表示内容の切替え要求が有るか否かを判定し、否定判定すると、ステップＳ１４０に戻り、ステップＳ１４０〜ステップＳ２２０を繰り返す。つまり、表示内容の切替え要求が無い間は、第１間引き表示モードおよび第２間引き表示モードの実行が繰り返される。
【００４７】
一方、ステップＳ２２０で、制御部１２０は、否定判定、つまり表示内容の切替え要求が有ると判定すると、ステップＳ２３０で、経過時間計測、および間引き表示モードの設定をリセットして、ステップＳ１００に戻る。
【００４８】
以上のように、本実施形態では、表示内容を切替え可能とする表示器１１０において、表示内容の切替え要求が無い間は、アイコン１１１ｂ（固定項目画像）を形成する複数の画素のうち、一部の画素の輝度を低下させる間引き表示モードを実行するようにしている。これにより、アイコン１１１ｂを形成する一部の画素の劣化を抑制することができ、焼き付きを低減することができる。このとき、アイコン１１１ｂの表示位置を変更するものではないので、ユーザの使い勝手を損なうことがない。
【００４９】
また、制御部１２０は、画像の表示内容の切替えが行われた後に、予め定めた所定時間ｔ０が経過してから、間引き表示モードを実行するようにしている。これにより、予め定めた所定時間ｔ０の間は、間引き表示モードが実行されないので、表示内容が切替えされてから、所定時間ｔ０が経過するまでは、アイコン１１１ｂを本来の輝度でくっきりと表示させることができる。
【００５０】
また、間引き表示モードとして、所定時間ｔ１の間に実行される第１間引き表示モードと、所定時間ｔ２の間に実行される第２間引き表示モードとを設定しており、第１間引き表示モードと第２間引き表示モードとを実行するようにしている。これにより、第１間引きモードと第２間引きモードとで、異なる画素に対して間引き表示モードを実行することになるので、アイコン１１１ｂにおいてより広範囲にわたった画素の間引き表示が可能となり、焼き付き低減の効果を向上させることができる。
【００５１】
また、表示内容の切替えが無い間は、第１間引き表示モードと第２間引き表示モードとを交互に繰り返し実行するようにしている。これにより、次の切替えを行うまでの間に、途切れることなく第１間引き表示モード、および第２間引き表示モードを実行することができるので、焼き付き低減の効果を向上させることができる。
【００５２】
また、間引き表示モードを実行するにあたって、ディザ法を用いている。ディザ法によれば、アイコン１１１ｂの見栄えを大きく損なうことなく、輝度の設定（２値化）が可能であり、間引き表示モードを実行するにあたって好適な手法となる。
【００５３】
（第２実施形態）
第２実施形態の表示装置１００Ａを図８、図９に示す。第２実施形態の表示装置１００Ａは、上記第１実施形態の表示装置１００に対して、表示器１１０を表示器１１０Ａに、制御部１２０を制御部１２０Ａに変更し、間引き表示モード実行の制御における要領を変更したものである。
【００５４】
表示器１１０Ａは、例えば、薄膜状のトランジスタを利用したＴＦＴ（Ｔｈｉｎ  Ｆｉｌｍ  Ｔｒａｎｓｉｓｔｏｒ）液晶ディスプレイ（液晶式のディスプレイ）が使用されている。そして、表示器１１０Ａには、背面側から透過照明するバックライト１１５が設けられている。バックライト１１５は、発光ダイオードのような発光体および拡散板を有しており、表示器１１０Ａをムラなく照明するようになっている。バックライト１１５から放出される光（発光）と、表示面１１１の各画素部の開閉作動によって各種画像が表示面１１１に発光表示（形成）されるようになっている。
【００５５】
そして、本実勢形態における間引き表示モードは、図９に示すフローチャートに基づいて実行されるようになっている。図９のフローチャートは、図５で説明した第１実施形態のフローチャートに対して、ステップＳ１４０をステップＳ１４０Ａに、ステップＳ１８０をステップＳ１８０Ａに、またステップＳ２３０をステップＳ２３０Ａに変更したものとなっている。
【００５６】
制御部１２０Ａは、ステップＳ１００〜Ｓ１３０を実施した後に、ステップＳ１４０Ａで、間引き表示モードのうち、第１間引き表示モードを開始し、第１間引き表示モード開始からの時間の計測を開始すると共に、バックライト１１５の輝度を、第１間引き表示モード実行前までの輝度よりも高くする。
【００５７】
同様に、制御部１２０Ａは、ステップＳ１５０〜Ｓ１７０を実施した後に、ステップＳ１８０Ａで、間引き表示モードのうち、第２間引き表示モードを開始し、第２間引き表示モード開始からの時間の計測を開始すると共に、バックライト１１５の輝度を、ステップＳ１４０Ａでの輝度と同等になるように、高い状態を維持する。そして、制御部１２０Ａは、ステップＳ１９０〜ステップＳ２２０の後に、ステップＳ２３０Ａで、経過時間計測、間引き表示モード、およびバックライト１１５の輝度の設定をリセットして、ステップＳ１００に戻る。
【００５８】
これにより、間引き表示モードの実行によるアイコン１１１ｂ（固定項目画像）の輝度低下を、バックライト１１５の輝度上昇により補うことができ、ユーザに対する見栄えを維持することができる。
【００５９】
（第３実施形態）
第３実施形態の表示装置１００Ｂを図１０〜図１３に示す。第３実施形態の表示装置１００Ｂは、上記第１実施形態の表示装置１００に対して、カメラ１３０が追加されており、制御部１２０Ｂは、ユーザの視線に応じて、間引き表示モードを実行するようにしたものである。
【００６０】
カメラ１３０は、例えば、ＣＣＤカメラが使用されており、車両の天井部前方に設けられて、ユーザの顔を撮影するようになっている。そして、図１０に示すように、カメラ１３０によって撮影された顔画像信号は、制御部１２０Ｂの視線検知部１２６に出力されるようになっている。
【００６１】
視線検知部１２６は、カメラ１３０によって撮影された顔画像信号から、ユーザの視線の向きを検知するようになっている。つまり、視線検知部１２６は、図１１に示す視線検知機能１２Ｇを果たすものとなっている。特に、視線検知部１２６は、ユーザの顔画像信号から瞳の位置（向き）を判別して、ユーザの視線が表示器１１０に向いているか否かを検知するようになっている。そして、検知された視線検知信号は、ＣＰＵ１２１に出力されるようになっている。
【００６２】
そして、本実勢形態における間引き表示モードは、図１２、図１３に示すフローチャートに基づいて実行されるようになっている。図１２、図１３のフローチャートは、図５で説明した第１実施形態のフローチャートに対して、ステップＳ１５０とステップＳ１６０との間にステップＳ１５５を追加し、また、ステップＳ１９０とステップＳ２００との間にステップＳ１９５を追加し、ステップＳ２３０をステップＳ２３０Ｂに変更したものとなっている。
【００６３】
制御部１２０Ｂは、ステップＳ１００〜Ｓ１５０を実施した後に、ステップＳ１５５で、視線検知部１２６で得られた視線検知信号から、ユーザの視線が表示器１１０に向いているか（表示器１１０をちら見したか）を判定し、否定判定するとステップＳ１６０に移行する。しかしながら、制御部１２０Ｂは、肯定判定、つまり、ユーザの視線が表示器１１０に向いていると判定すると、ステップＳ２３０Ｂに移行し、第１間引き表示モードの実行を停止する。
【００６４】
同様に、制御部１２０Ｂは、ステップＳ１９０を実施した後に、ステップＳ１９５で、視線検知部１２６で得られた視線検知信号から、ユーザの視線が表示器１１０に向いているか（表示器１１０をちら見したか）を判定し、否定判定するとステップＳ２００に移行する。しかしながら、制御部１２０Ｂは、肯定判定、つまり、ユーザの視線が表示器１１０に向いていると判定すると、ステップＳ２３０Ｂに移行し、第２間引き表示モードの実行を停止する。制御部１２０Ｂは、ステップＳ２３０Ｂでは、経過時間計測、間引き表示モード、および視線検知の設定をリセットして、ステップＳ１００に戻る。
【００６５】
これにより、ユーザの視線の方向が表示器１１０に向いているときは、間引き表示モードの実行が停止されるので、輝度低下に伴うアイコン１１１ｂの見栄えの変化をユーザに気づかれないようにすることができる。
【００６６】
（第４実施形態）
第４実施形態を図１４、図１５に示す。第４実施形態の表示装置は、上記第３実施形態の表示装置１００Ｂと構成は同一であるが、制御部１２０Ｂによる、間引き表示モード実行の制御内容（間引き表示モードの開始条件）を変更したものである。
【００６７】
本実勢形態における間引き表示モードは、図１４、図１５に示すフローチャートに基づいて実行されるようになっている。図１４、図１５のフローチャートは、上記第３実施形態のフローチャートに対して、ステップＳ１００をステップＳ１００Ａに、また、ステップＳ１３０をステップＳ１３０Ａに変更したものとなっている。
【００６８】
制御部１２０Ｂは、ステップＳ１００Ａで、カメラ１３０および視線検知部１２６による視線検知を開始する。そして、ステップＳ１１０で、間引き表示モードを実行しない状態を維持する。
【００６９】
次に、制御部１２０Ｂは、ステップＳ１２０で、表示内容の切替え要求が有るか否かを判定し、肯定判定するとステップＳ２３０に移行し、否定判定、つまり、表示内容の切替え要求が無いと判定すると、ステップＳ１３０Ａに移行する。
【００７０】
そして、制御部１２０Ｂは、ステップＳ１３０Ａで、上記第３実施形態と同様に、視線検知部１２６で得られた視線検知信号から、ユーザの視線が表示器１１０に向いているか（表示器１１０をちら見したか）を判定し、肯定判定すると、ステップＳ１１０に戻る。しかしながら、制御部１２０Ｂは、ステップ１３０Ａで、否定判定、つまりユーザの視線が表示器１１０に向いていないと判定すると、ステップＳ１４０に移行し、第１間引き表示モードの実行を開始する。
【００７１】
これにより、画像の表示内容の切替えが行われた後、まだ間引き表示モードを実行する前の段階で、視線検知部１２６によって検知される視線の方向が、表示器１１０に向いていないと、間引き表示モードが実行される。よって、ユーザに輝度低下に伴うアイコン１１１ｂの見栄えの変化を気づかれないようにしつつ、間引き表示モードを実行（開始）することができる。
【００７２】
（その他の実施形態）
上記各実施形態では、間引き表示モードとして、第１間引き表示モードと第２間引き表示モードとを実行するものとしたが、最小限度の制御内容として、第１間引き表示モードのみを実行するものとしてもよい。また、間引き表示モードとして、第１、第２間引き表示モードとは更に異なる配置パターンに基づく他の間引き表示モード（例えば、第３、第４間引き表示モード等）を形成して、第１、第２間引き表示モード、および他の間引き表示モードを順に実行するようにしてもよい。
【００７３】
また、上記第１〜第３実施形態では、画像の表示内容が切替えられてから所定時間ｔ０が経過した後に、間引き表示モードを実行するようにしたが、所定時間ｔ０の経過の条件を無くしたものとしてもよい。つまり、画像の表示内容が切替えられた時点で、間引き表示モードを実行（開始）するものとしてもよい。
【００７４】
また、上記各実施形態では、間引き表示モードを実行するにあたって、ディザ法を用いるものとしたが、これに限定されることなく、他の濃度パターン法、あるいは誤差拡散法等を用いるものとしてもよい。
【００７５】
尚、濃度パターン法は、表示画像の１画素に対して、複数画素から成る２値化画像のパターンを種々準備しておいて、表示画像の各画素に対して、近い濃度パターンを選択して割り当てるものである。また、誤差拡散法は、表示画像の各画素値と、２値化した値との誤差を周辺の画素に分散させて、誤差をキャンセルするように未処理画像の画素値を補正しながら画像全体の画素値を２値化するものである。
【００７６】
また、上記各実施形態では、間引き表示モードの対象画像として、カーナビ装置におけるアイコン１１１ｂを対象としたが、これに限定されることなく、同一位置に同一内容で表示される他の画像を対象としたものとしてもよい。例えば、空調装置の表示パネルに表示されて、設定温度を調節するためのスイッチアイコン、車載カメラによって車両後方や後側方を表示するものにおいて、注意、警告等を示す画像等を間引き表示モードの対象画像としてもよい。
【００７７】
更には、時計において、時分（例えば、１０：３０）を表示するものにおいては、「時（１０）」の表示画像は、１時間の間、同じ画像が表示されることから、同一位置に同一内容で表示される画像と捉えて、この「時（１０）」の表示画像を間引き表示モードの対象画像としてもよい。
【符号の説明】
【００７８】
１００、１００Ａ、１００Ｂ  表示装置
１１０、１１０Ａ  表示器
１１１ａ  ナビ画像（作動状態画像）
１１１ｂ  アイコン（固定項目画像）
１１５  バックライト
１２０  制御部
１２６  視線検知部
【図１】
2017146361.tif 000003
【図２】
2017146361.tif 000004
【図３】
2017146361.tif 000005
【図４】
2017146361.tif 000006
【図５】
2017146361.tif 000007
【図６】
2017146361.tif 000008
【図７】
2017146361.tif 000009
【図８】
2017146361.tif 000010
【図９】
2017146361.tif 000011
【図１０】
2017146361.tif 000012
【図１１】
2017146361.tif 000013
【図１２】
2017146361.tif 000014
【図１３】
2017146361.tif 000015
【図１４】
2017146361.tif 000016
【図１５】
2017146361.tif 000017